(57)【要約】【課題】扉が閉じている時の外気からの湿度侵入を抑制することで冷却器への着霜を抑制し、冷却能力を確保しつつ、除霜による冷却効率の低下を抑制することを目的とする。【解決手段】冷却ファン１５の冷気を貯蔵室３１に吐出する吐出風路と、貯蔵室３１を冷却した冷気を冷却器１４に戻す戻り風路４６とを備えた冷蔵庫において、扉３４が閉じている時に貯蔵室３１内の圧力を冷蔵庫外の圧力と同等またはそれ以上にする圧力調整手段４５を備えた冷蔵庫。【選択図】図３
2020070944.tif 000002
【特許請求の範囲】
【請求項１】
冷却器と、前面に開口した複数の貯蔵室を備えた断熱箱体と、前記冷却器で生成した冷気を前記複数の貯蔵室に流す冷却ファンと、前記冷却ファンの冷気を各貯蔵室に吐出する吐出風路と、各貯蔵室を冷却した冷気を前記冷却器に戻す戻り風路と、前記貯蔵室を閉塞する複数の扉を備えた冷蔵庫において、扉が閉じている時に貯蔵室内の圧力を冷蔵庫外の圧力と同等またはそれ以上にする圧力調整手段を備えた冷蔵庫。
【請求項２】
圧力調整手段は、貯蔵室を循環した冷気が冷却室へ戻る戻り風路に備えられ、前記戻り風路内の冷気量を調節する吸込みダンパである請求項１に記載の冷蔵庫。
【請求項３】
圧力調整手段は、複数の貯蔵室の間の仕切部材に設け、貯蔵室へ吐出する冷気量を調節する吐出ダンパである請求項１または２に記載の冷蔵庫。
【請求項４】
前記冷却ファンが運転中で前記貯蔵室の前記吐出ダンパが閉塞した場合、前記貯蔵室の前記吸込みダンパも閉塞することを特徴とする請求項１から３のいずれかに記載の冷蔵庫。
【請求項５】
前記冷却ファンが運転中で、前記貯蔵室が適温となった場合に、前記貯蔵室の前記吐出ダンパを半開状態で維持することを特徴とする請求項１の冷蔵庫。
【発明の詳細な説明】
【技術分野】
【０００１】
本発明は冷蔵庫の冷却器への着霜抑制に関するものである。
【背景技術】
【０００２】
従来の冷蔵庫としては、扉が開いた時に庫外への冷気の漏れを防ぐために、扉近傍にエアカーテン機能を備えたものがある（例えば、特許文献１参照）。
【０００３】
図５は、従来の冷蔵庫を示す断面図である。図６は、従来の冷蔵庫の冷蔵室の縦断面図である。図７は、従来の冷蔵庫の運転中の圧力変化を表す図である。
【０００４】
図５及び図６に示すように、従来の冷蔵庫１は、前面を開口した断熱箱体２から構成されている。断熱箱体２は、上仕切部材３、中仕切り４及び下仕切部材５により上下４室に仕切られており、上仕切部材３の上方を、室内を約４度の冷蔵温度帯に維持した冷蔵室６、上仕切部材３と中仕切り４の間を、室内を約−１８度の冷凍温度帯に維持した第一冷凍室７、中仕切り４と下仕切部材５の間を、室内を約−１８度の冷凍温度帯に維持した第二冷凍室８、下仕切部材５の下方を、室内を冷蔵室より若干高い温度帯に維持した野菜室９としている。
【０００５】
そして冷蔵室６の前面開口部は回動自在の断熱扉１０によって、第一冷凍室７、第二冷凍室８及び野菜室９は引き出し式の断熱扉１１、１２、１３によってそれぞれ開閉自在に閉塞されている。
【０００６】
また第一冷凍室７と第二冷凍室８の背面には、下部に図示しない冷却システムの一部である冷却器１４と、上部に冷却器１４で生成した冷気を冷蔵庫１内に循環させる冷却ファン１５を備えており、冷凍室ダクト１６により第一冷凍室７及び第二冷凍室８と仕切られた冷却室１７を形成していると共に、冷凍室ダクト１６下部には冷凍室吸込口（図示せず）が、上部には冷凍室吐出口１８が形成されている。
【０００７】
さらに冷凍室ダクト１６背面の冷却ファン１５上方には、冷却ファン１５の冷気を各室に選択的に流すことができるダンパ１９を備えている。このダンパ１９には図示しない冷蔵室バッフル、野菜室バッフルが開閉自在に取り付けられており、それぞれ冷蔵室バッフルには冷蔵室６に冷却風を導く冷蔵室吐出風路２０が、野菜室バッフルにはそれぞれ冷却風を第一冷凍室７及び野菜室９に導く、図示しない野菜室吐出風路が形成されている。
【０００８】
冷蔵室７の背面略中央には上下に延在する冷蔵室ダクト２１が形成されている。そして冷蔵室ダクト２１左右及び前面には、複数の図示しない冷蔵室吐出口が形成されている。また、冷蔵室６背面の冷蔵室ダクト２１の右下隅部には、冷蔵室吸込口２２が形成されており、図示しない冷蔵室吸込風路と連通しており、冷蔵室吐出口から吐出され冷蔵室６を冷却した冷却風は、冷蔵室吸込風路から冷却室１７に戻される。
【０００９】
野菜室９には野菜室吐出風路を流れてきた冷却風を野菜室９内に吐出する図示しない野菜室吐出口及び野菜室９を冷却した冷却風を冷却室１７に戻す図示しない野菜室吸込風路を備えている。
【００１０】
ここで、冷蔵室ダクト２１の中央部には上下に渡ってエアカーテン用背面ダクト２３が形成されており、エアカーテン用背面ダクト２３の最下部には冷蔵室吐出風路２０を流れてきた冷気をエアカーテン用背面ダクト２３に流すエアカーテン用ファン２４を備えている。また、冷蔵室６天面には前後に渡ってエアカーテン用天面ダクト２５を備えており、背面をエアカーテン用背面ダクトの上端に連通していると共に、前面を冷蔵室６の前面開口部近傍に開口している。
【００１１】
また上仕切部材３の上面には前後に渡ってエアカーテン用底面ダクト２６を備えており、前面を冷蔵室６の前面開口部近傍に開口していると共に、背面をエアカーテン用背面ダクトの下端と連通している。
【００１２】
以上の構成において、冷却システムが運転すると、冷却器１４で生成された冷気は、冷却ファン１５により上方に吐出され、冷凍室吐出口１８より第二冷凍室１８内に吐出され、第二冷凍室８内を冷却し、冷凍室が所定の温度に維持される。
【００１３】
その際に、図示しない冷蔵室センサによって、冷蔵室６が所定の温度以上となった時には、冷蔵室バッフルが開き、冷気を冷蔵室６内に循環させ、冷蔵室６内を冷却する。そして、冷蔵室６が所定の温度以下になった時に、冷蔵室バッフルを閉じることにより、冷蔵室６の冷却を停止し、冷蔵室が所定の温度に維持される。同様の動作により、野菜室９も所定の温度に維持される。
【００１４】
ここで、冷蔵室６の断熱扉１０か開放されると、エアカーテン用ファン２４が運転される。エアカーテン用ファン２４が運転されると、冷蔵室６内の冷気は、エアカーテン用底面ダクト２６前面から吸い込まれ、エアカーテン用背面ダクト２３及びエアカーテン用天面ダクト２５を流れ、エアカーテン用天面ダクト２５の前面より吐出され、冷蔵室６の開口部を上から下に流れ、再度エアカーテン用底面ダクト２６前面から吸い込まれる。
【００１５】
これによって、冷蔵室６の前面には冷気のエアカーテンが形成されるので、冷蔵室６の断熱扉１０を開いている状態でも、冷蔵室６内の冷気は庫外に漏洩することが無く、庫外の空気も冷蔵室６内に侵入することは無い。
【００１６】
これにより、断熱扉１０を開いている状態で、庫外の湿度が冷蔵室６内に侵入することを抑制でき、冷却器が湿度の高いと熱交換することにより発生する着霜を抑制することができる。
【先行技術文献】
【特許文献】
【００１７】
【特許文献１】特開２０００−１０５０５２号公報
【発明の概要】
【発明が解決しようとする課題】
【００１８】
しかしながら、上記従来の構成は、断熱扉１０が開いている時の庫外の湿度侵入は抑制できるが、断熱扉１０が閉じている時にはエアカーテン効果は無く、冷却ファン１５が運転している状態で冷蔵室バッフルが閉じていると、冷却ファン１５が冷蔵室吸込風路から冷気を吸い込もうとするため、冷蔵室６内が外気に比べて圧力が低くなり（静圧がマイナスの値となり）、断熱扉１０と断熱箱体２の隙間から冷蔵室６内に高温高湿の外気を吸い込んでしまうという課題があった。
【００１９】
また、野菜室９においても同様に、断熱扉１３が閉じている時に、冷却ファン１５が運転している状態で野菜室バッフルが閉じていると、冷却ファン１５が野菜室吸込風路から冷気を吸い込もうとするため、野菜室９内が外気に比べて圧力が低くなり（静圧がマイナスの値となり）、断熱扉１３と断熱箱体の隙間から野菜室９内に高温高湿の外気を吸い込んでしまうという課題があった。
【００２０】
本発明は、上記従来の課題を解決するものであり、断熱扉が閉じている時に庫内の圧力を外気と同等にすることにより、庫外の湿度の庫内への侵入を抑制することができる。
【課題を解決するための手段】
【００２１】
上記従来の課題を解決するために、本発明の冷蔵庫は、冷却器と、前面に開口した複数の貯蔵室を備えた断熱箱体と、冷却器で生成した冷気を複数の貯蔵室に流す冷却ファンと、冷却ファンの冷気を各貯蔵室に吐出する吐出風路と、各貯蔵室を冷却した冷気を冷却器に戻す戻り風路と、貯蔵室を閉塞する複数の扉を備えた冷蔵庫において、扉が閉じている時に貯蔵室内の圧力を冷蔵庫外の圧力と同等またはそれ以上にする圧力調整手段とから構成したものである。
【００２２】
これによって、貯蔵室内と外気の圧力差により、貯蔵室内に高温高湿の外気が侵入することを防止でき、冷却器への着霜を抑制することで、除霜電力を削減することができる。
【発明の効果】
【００２３】
本発明の冷蔵庫は、上記構成により、冷却器への着霜を抑制することができ、消費電力量を低減することができる。
【図面の簡単な説明】
【００２４】
【図１】本発明の実施の形態１の冷蔵庫の冷凍室ダクトを除く正面図
【図２】実施の形態１の冷蔵庫の運転中の庫内の圧力変化を表す図
【図３】本発明の実施の形態２の冷蔵庫の縦断面図
【図４】実施の形態２の冷蔵庫の運転中の庫内の圧力変化を表す図
【図５】従来の冷蔵庫の断面図
【図６】従来の冷蔵庫の冷蔵室の縦断面図
【図７】従来の冷蔵庫の運転中の圧力変化を表す図
【発明を実施するための形態】
【００２５】
請求項１に記載の発明は、冷却器と、前面に開口した複数の貯蔵室を備えた断熱箱体と、冷却器で生成した冷気を複数の貯蔵室に流す冷却ファンと、冷却ファンの冷気を各貯蔵室に吐出する吐出風路と、各貯蔵室を冷却した冷気を冷却器に戻す戻り風路と、貯蔵室を閉塞する複数の扉を備えた冷蔵庫において、扉が閉じている時に貯蔵室内の圧力を冷蔵庫外の圧力と同等またはそれ以上にする圧力調整手段を備えた構成としたので、高温高湿の外気が貯蔵室内へ侵入することを防止でき、冷却器への着霜を抑制できる。
【００２６】
請求項２に記載の発明は、圧力調整手段は、貯蔵室を循環した冷気が冷却室へ戻る戻り風路に備えられ、前記戻り風路内の冷気量を調節する吸込みダンパであるので、簡単な構成で高温高湿の外気が貯蔵室内へ侵入することを防止でき、冷却器への着霜を抑制できる。
【００２７】
請求項３に記載の発明は、圧力調整手段は、複数の貯蔵室の間の仕切部材に設け、貯蔵室へ吐出する冷気量を調節する吐出ダンパであるので、高温高湿の外気が全ての貯蔵室内へ侵入することを防止でき、冷却器への着霜を抑制できる。
【００２８】
請求項４に記載の発明は、前記冷却ファンが運転中で前記貯蔵室の前記吐出ダンパが閉塞した場合、前記貯蔵室の前記吸込みダンパも閉塞する構成としたので、簡単な構成で、高温高湿の外気が貯蔵室内へ侵入することを防止でき、冷却器への着霜を抑制できる。
【００２９】
請求項５に記載の発明は、前記冷却ファンが運転中で、前記貯蔵室が適温となった場合に、前記貯蔵室の前記吐出ダンパを半開状態で維持する構成としたので、吸込みダンパがない場合でも、外気が貯蔵室内へ侵入することを防止できる。
【００３０】
（実施の形態１）
図１は、本発明の実施の形態１における冷蔵庫の冷凍室ダクトを除く正面図である。図２は同冷蔵庫の運転中の庫内の圧力変化を表す図である。
【００３１】
図１及び図２において、冷蔵庫２７は、前面を開口した断熱箱体２８から構成されている。断熱箱体２８は、上仕切部材２９及び下仕切部材３０により上下３室に仕切られており、上仕切部材２９の上方を、室内を約４度の冷蔵温度帯に維持した冷蔵室３１、上仕切部材２９と下仕切部材３０の間を、室内を約−１８度の冷凍温度帯に維持した冷凍室３２、下仕切部材３０の下方を、室内を冷蔵室より若干高い温度帯に維持した野菜室３３としている。
【００３２】
そして冷蔵室３１の前面開口部は回動自在の断熱扉３４によって、冷凍室３２及び野菜室３３は引き出し式の断熱扉３５及び３６によってそれぞれ開閉自在に閉塞されている。
【００３３】
また冷凍室３２の背面には、下部に図示しない冷却システムの一部である冷却器１４と、上部に冷却器１４で生成した冷気を冷蔵庫２７内に循環させる冷却ファン１５を備えており、冷凍室ダクト（図示せず）により冷凍室３２と仕切られた冷却室３７を形成している。
【００３４】
上仕切部材２９には、冷却室３７内の冷却ファン１５の吐出側と冷蔵室３１を選択的に連通、閉塞し、冷気量を調節する冷蔵吐出ダンパ３８を備えていると共に、冷蔵室３１と冷却室３７を選択的に連通、閉塞し、冷気量を調節する冷蔵吸込ダンパ３９を備えており、さらに冷却室３７には冷蔵吸込ダンパ３９から吸い込まれた空気を冷却器１４に導く冷蔵吸込風路４０が形成されている。
【００３５】
同様に、下仕切部材３０内には野菜室３３と冷却室３７内の冷却器下方を選択的に連通、閉塞し冷気量を調節する野菜吸込ダンパ４１と、冷却ファン１５の吐出側と野菜室３３を選択的に連通、閉塞し、冷気量を調節する野菜吐出ダンパ４２を備えており、さらに冷凍室ダクト内には冷却ファン１５の吐出側と野菜吐出ダンパ４２とを連通する野菜吐出風路（図示せず）が形成されている。
【００３６】
また、冷却器１４の下部には冷却器１４に付着した霜を定期的に融かすために例えばラジアントヒータなどの除霜ヒータ４４を備えている。
【００３７】
以上のように構成された冷蔵庫について、以下その動作を説明する。
【００３８】
冷蔵庫の通常運転時、図示しない冷却システムの一部である圧縮機（図示せず）が運転することにより冷却器１４を冷却し、冷気を生成する。生成された冷気は、冷却ファン１５から吐出され、冷凍室ダクトにより冷凍室内を冷却すると共に、冷蔵室３１及び野菜室３３を所定の温度に冷却すべく冷蔵吐出ダンパ３８、野菜吐出ダンパ４２のバッフル（図示せず）を開くことにより冷蔵室３１及び野菜室３３へと流れ、各室を冷却する。この時、冷蔵吸込ダンパ３９及び野菜吸込ダンパ４１のバッフルは開いており、冷蔵室３１及び野菜室３３を冷却した空気は再び冷却器１４へと吸い込まれる。
【００３９】
そして、冷蔵室３１が所定の温度まで低下すると、冷蔵吐出ダンパ３８と冷蔵吸込ダンパ３９が同時に閉塞し、冷蔵室３１の冷却を停止する。
【００４０】
同様に、野菜室３３が所定の温度まで低下すると、野菜吐出ダンパ４２と野菜吸込ダンパ４１が同時に閉塞し、野菜室３３の冷却を停止する。
【００４１】
さらに、冷凍室３２が所定の温度まで低下すると、圧縮機及び冷却ファン１５を停止させ、冷却運転を停止する。
【００４２】
また、冷蔵庫が長時間運転すると、扉開閉などにより外部から侵入した湿度が冷却器１４に霜として付着する。この霜が増加していくと、冷却ファン１５の通風抵抗となり、冷却性能が低下するため、定期的に除霜ヒータ４４を運転させて霜を融かす除霜運転を設けている。
【００４３】
従来の冷蔵庫では、冷蔵吸込ダンパ３９及び野菜吸込ダンパ４１を備えていないため、冷却ファン１５が冷蔵室３１及び野菜室３３から空気を吸い込もうとすることで、冷蔵室３１及び野菜室３３内の圧力が低下し、外気との圧力差である静圧がマイナスの値となり、扉開閉が無くても高温高湿の外気を室内に吸い込んでしまう。
【００４４】
しかしながら、本発明の冷蔵庫２７は、冷蔵吸込ダンパ３９及び野菜吸込ダンパ４１を備えており、冷蔵室３１または野菜室３３を冷却しない時には冷蔵吸込ダンパ３９または野菜吸込ダンパ４１を閉塞するため、冷蔵室３１、野菜室３３の圧力が低下して静圧がマイナスの値になることは無く、外気を室内に吸い込むことは無い。
【００４５】
これにより、冷却器１４に付着する霜の量を低減することができ、除霜運転時間を短縮することができる。
【００４６】
従って、除霜電力を削減し、消費電力量の低い冷蔵庫とすることができる。
【００４７】
（実施の形態２）
図３は、本発明の実施の形態２における冷蔵庫の縦断面図である。図４は、同冷蔵庫の運転中の庫内の圧力変化を表す図である
図３及び図４において、冷蔵庫２７は、前面を開口した断熱箱体２８から構成されている。断熱箱体２８は、上仕切部材２９及び下仕切部材３０により上下３室に仕切られており、上仕切部材２９の上方を、室内を約４度の冷蔵温度帯に維持した冷蔵室３１、上仕切部材２９と下仕切部材３０の間を、室内を約−１８度の冷凍温度帯に維持した冷凍室３２、下仕切部材３０の下方を、室内を冷蔵室より若干高い温度帯に維持した野菜室３３としている。
【００４８】
そして冷蔵室３１の前面開口部は回動自在の断熱扉３４によって、冷凍室３２及び野菜室３３は引き出し式の断熱扉３５及び３６によってそれぞれ開閉自在に閉塞されている。
【００４９】
また冷凍室３２の背面には、下部に図示しない冷却システムの一部である冷却器１４と、上部に冷却器１４で生成した冷気を冷蔵庫２７内に循環させる冷却ファン１５を備えており、冷凍室ダクト（図示せず）により冷凍室３２と仕切られた冷却室３７を形成している。
【００５０】
上仕切部材２９には、冷却室３７内の冷却ファン１５の吐出側と冷蔵室３１を選択的に連通、閉塞する冷蔵吐出ダンパ４５を備えていると共に、冷蔵室３１と冷却室３７を連通する冷蔵吸込口４６を備えており、さらに冷却室３７には冷蔵吸込口４６から吸い込まれた空気を冷却器１４に導く冷蔵吸込風路４０が形成されている。
【００５１】
同様に、下仕切部材３０内には野菜室３３と冷却室３７内の冷却器下方を連通する野菜吸込口４７と、冷却ファン１５の吐出側と野菜室３３を選択的に連通、閉塞する野菜吐出ダンパ４８を備えており、さらに冷凍室ダクト内には冷却ファン１５の吐出側と野菜吐出ダンパ４８とを連通する野菜吐出風路（図示せず）が形成されている。
【００５２】
また、冷却器１４の下部には冷却器１４に付着した霜を定期的に融かすために例えばラジアントヒータなどの除霜ヒータ４４を備えている。
【００５３】
以上のように構成された冷蔵庫について、以下その動作を説明する。
【００５４】
冷蔵庫の通常運転時、図示しない冷却システムの一部である圧縮機（図示せず）が運転することにより冷却器１４を冷却し、冷気を生成する。生成された冷気は、冷却ファン１５から吐出され、冷凍室ダクトにより冷凍室内を冷却すると共に、冷蔵室３１及び野菜室３３を所定の温度に冷却すべく冷蔵吐出ダンパ４５、野菜吐出ダンパ４８のバッフル（図示せず）を開くことにより冷蔵室３１及び野菜室３３へと流れ、各室を冷却する。この時、冷蔵室３１及び野菜室３３を冷却した空気は冷蔵吸込口４６及び野菜吸込口４７から再び冷却器１４へと吸い込まれる。
【００５５】
そして、冷蔵室３１が所定の温度まで低下すると、冷蔵吐出ダンパ４５のバッフルを半開状態とし、冷蔵室３１の冷却を停止する。
【００５６】
同様に、野菜室３３が所定の温度まで低下すると、野菜吐出ダンパ４７のバッフルを半開状態とし、野菜室３３の冷却を停止する。
【００５７】
さらに、冷凍室３２が所定の温度まで低下すると、圧縮機及び冷却ファン１５を停止させ、冷却運転を停止する。
【００５８】
また、冷蔵庫が長時間運転すると、扉開閉などにより外部から侵入した湿度が冷却器１４に霜として付着する。この霜が増加していくと、冷却ファン１５の通風抵抗となり、冷却性能が低下するため、定期的に除霜ヒータ４４を運転させて霜を融かす除霜運転を設けている。
【００５９】
従来の冷蔵庫では、冷凍室３２を冷却中で冷却ファン１５が運転している状態で、冷蔵室３１及び野菜室３３の冷却を停止する際には、冷蔵吐出ダンパ４５及び野菜吐出ダンパ４８を閉塞してしまうため、冷蔵室戻り風路および野菜室戻り風路からそれぞれ冷蔵室３１および野菜室３３内の空気を吸う。冷却ファン１５が冷蔵室３１及び野菜室３３から空気を吸い込もうとすることで、冷蔵室３１及び野菜室３３内の圧力が低下し、外気との圧力差である静圧がマイナスの値となり、扉開閉が無くても高温高湿の外気を室内に吸い込んでしまう。
【００６０】
しかしながら、冷凍室３２を冷却中で冷却ファン１５が運転している状態で、冷蔵室３１および野菜室３３が適温で冷却を停止する際に、本発明の冷蔵庫２７は、冷蔵吐出ダンパ４５のバッフル及び野菜吐出ダンパ４８のバッフルは図４のように半開状態となって冷却ファン１５から吐出される冷気が冷蔵室３１および野菜室３３にわずかに導入されるように風路が連通するため、冷蔵室３１及び野菜室３３内の圧力は冷蔵吐出ダンパ４５及び野菜吐出ダンパ４８から漏れ出る冷気によって室内が負圧になることは無く、外気を室内に吸い込むことは無い。
【００６１】
また、冷蔵吐出ダンパ４５を閉塞した場合、一定時間後に冷蔵吐出ダンパ４５を一時的に開放する動作を所定時間ごとに繰り返し、冷蔵室３１内が負圧になるのを抑制しても良い。
【００６２】
野菜室吐出ダンパ４８も上記と同様に制御してもよい。
【００６３】
これにより、実施の形態１に対して簡単な構成で、冷却器１４に付着する霜の量を低減することができ、除霜運転時間を短縮することができる。
【００６４】
従って、除霜電力を削減し、消費電力量の低い冷蔵庫とすることができる。
【００６５】
尚、本実施の形態において、冷蔵吐出ダンパ４５及び野菜吐出ダンパ４８は半開とするとしたが、バッフルの開度は冷蔵室３１及び野菜室３３の静圧が負圧にならない最小の開度とすることにより、効率よく各室を冷却することができる。
【００６６】
また、圧力調整手段として、ダンパの開度を閉塞または開度制御するとしたが、例えば冷蔵吸込ダンパ３９の代わりに冷蔵吸込ファンを配置し、冷蔵室３１の冷蔵吐出ダンパ４５を閉塞した場合、冷蔵吸込ファンを運転して、冷蔵室の吸込み冷気が冷蔵室３１へ流れるように冷気を逆流させてもよい。
【産業上の利用可能性】
【００６７】
本発明は、冷却器への着霜を抑制し、除霜する際のロスを低減することができるので、家庭用および業務用など様々な種類および大きさの間冷式の冷蔵庫に適用することができる。
【符号の説明】
【００６８】
１４  冷却器
１５  冷却ファン
２７  冷蔵庫
２８  断熱箱体
３１  冷蔵室
３２  冷凍室
３３  野菜室
３４  断熱扉
３５  断熱扉
３６  断熱扉
３８  冷蔵吐出ダンパ
３９  冷蔵吸込ダンパ
４１  野菜吸込ダンパ
４２  野菜吐出ダンパ
４５  冷蔵吐出ダンパ
４６  冷蔵吸込口
４７  野菜吸込口
４８  野菜吐出ダンパ
【図１】
2020070944.tif 000003
【図２】
2020070944.tif 000004
【図３】
2020070944.tif 000005
【図４】
2020070944.tif 000006
【図５】
2020070944.tif 000007
【図６】
2020070944.tif 000008
【図７】
2020070944.tif 000009